(57)【要約】【課題】明らかに間違ったサイズのページが入力された場合であっても、印刷ミスを抑えることができる面付け装置、および面付けプログラムを提供することを目的とする【解決手段】ページ枠が用紙上に少なくとも１つ面付けられるとともに、ページ枠を包含する仮想ページ枠が設定されたレイアウト上にページを配置するときに、ページが仮想ページ枠からはみ出す場合には、用紙画像を生成して用紙上に出力する一連の処理を中断する。【選択図】        図１２
2004180130.tif 000002
【特許請求の範囲】
【請求項１】
ページ枠が用紙上に少なくとも１つ面付けられるとともに、該ページ枠を包含する仮想ページ枠が設定されたレイアウト上の各ページ枠に、画像及び／又は文字を含むページを配置し、ページが配置された用紙全体を画像化して用紙画像を生成する用紙画像生成部と、
画像を前記用紙上に出力する画像出力機に、前記用紙画像生成部で生成された用紙画像を与えて該用紙上に該用紙画像を出力させる出力処理部と、
前記用紙画像生成部および前記出力処理部によって実行される、前記用紙画像を生成して前記用紙上に出力させる一連の処理を、前記レイアウト上に配置されたページが前記仮想ページ枠をはみ出す場合に中断させる処理中断部とを備えたことを特徴とする面付け装置。
【請求項２】
前記仮想ページ枠が、前記ページ枠の周辺を取り囲んだ所定幅の裁ち落とし代も包含するものであることを特徴とする請求項１記載の面付け装置。
【請求項３】
ページ枠が用紙上に少なくとも１つ面付けられるとともに、該ページ枠を包含する仮想ページ枠が設定されたレイアウト上の各ページ枠に、画像及び／又は文字を含むページを配置し、ページが配置された用紙全体を画像化して用紙画像を生成する用紙画像生成部と、
画像を前記用紙上に出力する画像出力機に、前記用紙画像生成部で生成された用紙画像を与えて該用紙上に該用紙画像を出力させる出力処理部と、
前記用紙画像生成部および前記出力処理部によって実行される、前記用紙画像を生成して前記用紙上に出力させる一連の処理を、前記レイアウト上に配置されたページが前記仮想ページ枠をはみ出す場合に中断させる処理中断部とを備えたことを特徴とする面付けプログラム。
【発明の詳細な説明】
【０００１】
【発明の属する技術分野】
本発明は、用紙上にページを面付けて、その用紙全体を表す用紙画像を出力する面付け装置、およびコンピュータ内で実行されることによりそのコンピュータを面付け装置として動作させる面付けプログラムに関する。
【０００２】
【従来の技術】
従来より、印刷の分野において、コンピュータを利用して編集の作業を行うＤＴＰ（ＤｅｓｋＴｏｐ  Ｐｕｂｌｉｓｈｉｎｇ）が広範に適用されている。ＤＴＰは、ＷＹＳＩＷＹＧ（Ｗｈａｔ  Ｙｏｕ  Ｓｅｅ  Ｉｓ  Ｗｈａｔ  Ｙｏｕ  Ｇｅｔ＝見たままに出力する）という思想を実現するものであり、オペレータは、表示画面を見ながら文字や画像の編集を行い、印刷物のイメージを確認してから、画像等をプリンタやイメージセッタなどで印刷・製版することができる。
【０００３】
このＤＴＰにおいて、オペレータが文字や画像を編集する際に使用するソフトウェアは、一般にＤＴＰソフトウェアとよばれている。ＤＴＰソフトウェアは、オペレータによって編集された文字や画像を基に、ページごとのイメージを表現するページ記述データとよばれる形式のデータを生成する。このページ記述データは、このままではプリンタ等の出力デバイスで出力することができないため、ＲＩＰ（Ｒａｓｔｅｒ  Ｉｍａｇｅ  Ｐｒｏｃｅｓｓｏｒ）でページ記述データを出力デバイスで出力可能なビットマップデータ（網点画像のデータ）に変換し、出力デバイスでは、このビットマップデータを基にして印刷物が作成される。
【０００４】
ここで、例えば、複数のページで構成される冊子等の印刷物を作成する際には、一枚の大きな用紙上に複数のページを面付けて印刷し、その用紙を仕上がりサイズに合わせて折り・断裁して製本することが行われている。この面付け処理においては、従来から、オペレータが１ページずつ編集後のページを用紙上に配置することが行われているが、近年では、予め用紙のサイズと冊子のページサイズを指定すると、面付けレイアウトを作成して、オペレータによって編集された複数のページをその面付けレイアウトに流し込んで自動的に配置する面付けアプリケーションが広く知られている（例えば、特許文献１参照）。ここで、以下では、この面付けアプリケーションを使ってページを面付けて、それらのページで構成される冊子を製本する一連の作業について説明する。
【０００５】
図１は、オペレータによって編集されたページを面付けレイアウトに配置して印刷し、製本する一連の処理を示す図である。
【０００６】
まず、オペレータは、ページを編集し、そのページを配置する用紙の用紙サイズと製本時のページサイズを指定する。面付けアプリケーションは、この用紙サイズとページサイズを基に、面付けレイアウトを作成する。
【０００７】
図１のステップ（Ａ）は、オペレータによって編集されたページ１を示し、ステップ（Ｂ）は、面付けアプリケーションによって作成された面付けレイアウトの一部（１ページ分）を示している。レイアウト２には、製本時のページサイズを示すページ枠４と、ページ枠４の周囲に裁ち代であるブリード５を加えたブリード枠３が備えられている。ステップ（Ａ）に示すページ１の大きさは、レイアウト２のページ枠４よりも大きくなっている。
【０００８】
面付けアプリケーションは、面付けレイアウトを作成すると、次に、ページ１の中心をレイアウト２の中心に合わせ、ページ１をレイアウト２上に配置する。
【０００９】
ステップ（Ｃ）は、ページ１の中心をレイアウト２の中心に合わせて配置したときのイメージを示している。ページ１に含まれている画像部分６が、ページ枠４内に収まらずにブリード５まではみ出している。この状態で面付けレイアウトにページ１および他のページを配置したイメージを用紙上に印刷し、その用紙をページ枠４に合わせて折り・断裁して製本する。
【００１０】
用紙を断裁する際は、一度に大量の用紙を断裁するために用紙がずれてしまうことがあり、全ての印刷物がページ枠ぴったりに断裁されるとは限らない。そのため、ページ枠ぎりぎりに見開きのページにかかる画像が配置されているときなどは、用紙を断裁して製本したときにページの境界面に筋が入ってしまう恐れがある。これを防ぐために、面付けレイアウトには、図１のレイアウト２のようにページ枠４の外側に裁ち代であるブリード５を用意しておき、編集後のページのサイズは、ページ１のようにページ枠４よりも若干大きめにしておいて、印刷後にページ枠４に合わせて折り・断裁することが行われている。
【００１１】
ステップ（Ｄ）は、製本後のページ１、および製本時にページ１の見開きのページとして綴じられたページ７を示している。画像部分６は、ブリード５にかかっていた部分が断裁されており、ページ１はページ枠４に合ったサイズになっている。ページ１の画像部分６とページ７の画像部分８との間は、画像の切れ目がなく、きれいに繋がっている。
【００１２】
以上のようにして、オペレータによって編集されたページが面付け、および印刷されて製本される。
【００１３】
【特許文献１】
特開平１１−２１６９２４号公報
【００１４】
【発明が解決しようとする課題】
上記のように、面付けアプリケーションを用いて自動的に面付け処理を行う場合、仕上がりサイズよりも大きいページが入力されたときには、そのページはブリードが考慮されたページとして扱われる。
【００１５】
しかしながら、従来の方法によると、例えば、仕上がりサイズがＡ４の面付けレイアウトに対してＡ３のページが入力されるなどというように、明らかに間違ったサイズのページが入力された場合であっても、そのページをブリードが考慮されたページとして扱い、印刷を続けてしまうという恐れがある。通常は複数のページをまとめて印刷するため、上記のような印刷ミスが生じると、無駄な用紙を大量に使ってしまううえ、印刷された用紙上のイメージを逐一確認する手間がかかり、印刷コストを上昇させてしまうという問題がある。
【００１６】
本発明は、上記事情に鑑み、印刷ミスを抑えることができる面付け装置、および面付けプログラムを提供することを目的とする。
【００１７】
【課題を解決するための手段】
本発明の面付け装置は、ページ枠が用紙上に少なくとも１つ面付けられるとともに、ページ枠を包含する仮想ページ枠が設定されたレイアウト上の各ページ枠に、画像及び／又は文字を含むページを配置し、ページが配置された用紙全体を画像化して用紙画像を生成する用紙画像生成部と、
画像を用紙上に出力する画像出力機に、用紙画像生成部で生成された用紙画像を与えて用紙上に用紙画像を出力させる出力処理部と、
用紙画像生成部および出力処理部によって実行される、用紙画像を生成して用紙上に出力させる一連の処理を、レイアウト上に配置されたページが仮想ページ枠をはみ出す場合に中断させる処理中断部とを備えたことを特徴とする。
【００１８】
本発明の面付け装置は、用紙上にページ枠を包含する仮想ページ枠が設定されたレイアウトを用い、ページをページ枠上に配置するときにページが仮想ページ枠からはみ出す場合には、用紙画像を生成して用紙上に出力する一連の処理を中断する。例えば、仮想ページ枠として所望のページサイズに裁ち落とし代程度の多少の余裕を持たせたサイズの枠を設定しておくと、明らかに間違った大きすぎるサイズのページが入力された場合には、印刷処理が中断させられるため、印刷ミスを抑えることができる。
【００１９】
また、本発明の面付け装置において、上記の仮想ページ枠が、ページ枠の周辺を取り囲んだ所定幅の裁ち落とし代も包含するものであることが好ましい。
【００２０】
用紙を断裁する際の用紙のずれによって生じる誤差を吸収するため、通常、ページ枠の外側に裁ち落とし代を設けることが行われている。仮想ページ枠を裁ち落とし代も包含するように設定することで、裁ち落とし代を備えたページを間違ったサイズのページであると誤認識することなく、処理を行うことができる。
【００２１】
さらに、本発明の画像配置プログラムは、コンピュータ内で実行され、コンピュータによって、
ページ枠が用紙上に少なくとも１つ面付けられるとともに、ページ枠を包含する仮想ページ枠が設定されたレイアウト上の各ページ枠に、画像及び／又は文字を含むページを配置し、ページが配置された用紙全体を画像化して用紙画像を生成する用紙画像生成部と、
画像を用紙上に出力する画像出力機に、用紙画像生成部で生成された用紙画像を与えて用紙上に用紙画像を出力させる出力処理部と、
用紙画像生成部および出力処理部によって実行される、用紙画像を生成して用紙上に出力させる一連の処理を、レイアウト上に配置されたページが仮想ページ枠をはみ出す場合に中断させる処理中断部とを備えたことを特徴とする。
【００２２】
本発明の面付けプログラムをコンピュータ内で実行させることによって、そのコンピュータを上記のような面付け装置として動作させることができる。
【００２３】
【発明の実施の形態】
以下、本発明の実施形態について説明する。
【００２４】
図２は、本発明の一実施形態が適用された画像処理システムの全体構成図である。この画像処理システムは、カラースキャナ１０、パーソナルコンピュータ２０、およびカラープリンタ３０で構成されている。
【００２５】
カラースキャナ１０では原稿画像１１が読み取られて、原稿画像１１を表す画像データが生成される。この画像データは、パーソナルコンピュータ２０に入力される。
【００２６】
パーソナルコンピュータ２０は、カラースキャナ１０で読み取られた原稿画像１１などを基に編集されたページを用紙上に配置したときの、用紙全体の画像を表す用紙画像を生成し、その用紙画像を表す画像データをカラープリンタ２０に適した画像出力用の画像データに展開する。このパーソナルコンピュータ２０には、ページ生成装置６０、本発明の一実施形態である面付け装置７０、画像展開装置８０、および記憶装置９０それぞれとしての機能が備えられている。オペレータがパーソナルコンピュータ２０に備えられているキーボードやマウスを使って原稿画像１１や文字を編集すると、編集後の画像や文字はページ生成装置６０に送られる。ページ生成装置６０は、オペレータが編集した画像や文字を含むページを生成する。面付け装置７０は、ページ生成装置６０からページを取得して、用紙上に少なくとも１つのページを面付けたときの用紙全体を表す用紙画像を生成する。生成された用紙画像は、記憶装置９０に送られて、記憶装置９０に記憶される。また、本実施形態において、面付け装置７０で生成された用紙画像を表す用紙画像データはページ記述データで記述されており、カラープリンタ３０では出力できない。面付け装置７０は、この用紙画像データを画像展開装置８０に送り、画像展開装置８０は、ページ記述データで記述された用紙画像データを、カラープリンタ３０で出力可能なビットマップ形式の画像データに展開してからカラープリンタ３０に送る。
【００２７】
カラープリンタ３０は、画像展開装置８０から送られてきた用紙画像データを用紙上に出力して、用紙画像３１を作成する。従来から、複数のページが１枚の大きな用紙上に配置された製本用などの用紙画像を作成する際には、主に印刷機が用いられている。しかし、刷版を作成して、その刷版にインクを塗布し、用紙上に印刷を行なう印刷の一連の作業は大掛かりなものであるため、例えばオンデマンドパブリッシングなどのように少数の印刷物を作成する際には、印刷機よりも手軽なカラープリンタが用いられて用紙画像が作成される。このカラープリンタ３０は、本発明にいう画像出力機の一例に相当する。
【００２８】
ここで、パーソナルコンピュータ２０のハードウェアについて説明する。
【００２９】
図３は、パーソナルコンピュータ２０の外観図である。
【００３０】
パーソナルコンピュータ２０は、外観構成上、本体装置２１、その本体装置２１からの指示に応じて表示画面２２ａ上に画像を表示する画像表示装置２２、本体装置２１に、キー操作に応じた各種の情報を入力するキーボード２３、および、表示画面２２ａ上の任意の位置を指定することにより、その位置に表示された、例えばアイコン等に応じた指示を入力するマウス２４を備えている。この本体装置２１は、外観上、フレキシブルディスク（以下、ＦＤと省略する）を装填するためのＦＤ装填口２１ａ、およびＣＤ−ＲＯＭを装填するためのＣＤ−ＲＯＭ装填口２１ｂを有する。
【００３１】
図４は、パーソナルコンピュータ２０のハードウェア構成図である。
【００３２】
図３の本体装置２１の内部には、図４に示すように、各種プログラムを実行するＣＰＵ２１１、ハードディスク装置２１３に格納されたプログラムが読み出されＣＰＵ２１１での実行のために展開される主メモリ２１２、図２に示す記憶装置９０に相当し、各種プログラムやデータ等が保存されたハードディスク装置２１３、ＦＤ１００が装填され、そのＦＤ１００をアクセスするＦＤドライブ２１４、ＣＤ−ＲＯＭ１１０をアクセスするＣＤ−ＲＯＭドライブ２１５、図２のカラースキャナ１０から画像データを受け取る入力インタフェース２１６、図２のカラープリンタ３０などの外部装置に画像データを送る出力インタフェース２１７が内蔵されており、これらの各種要素と、さらに図３にも示す画像表示装置２２、キーボード２３、マウス２４は、バス２５を介して相互に接続されている。
【００３３】
ここで、ＣＤ−ＲＯＭ１１０には、このパーソナルコンピュータ２０を本発明の面付け装置の一実施形態として動作させるための面付けプログラムが記憶されており、そのＣＤ−ＲＯＭ１１０はＣＤ−ＲＯＭドライブ２１５に装填され、そのＣＤ−ＲＯＭ１１０に記憶された面付けプログラムがこのパーソナルコンピュータ２０にアップロードされてハードディスク装置２１３に記憶される。こうしてパーソナルコンピュータ２０は本発明の面付け装置の一実施形態として動作する。
【００３４】
次に、本発明の一実施形態である図２の面付け装置７０を生成するための面付けプログラムについて説明する。
【００３５】
図５は、本発明の面付けプログラムの一実施形態が記憶されたＣＤ−ＲＯＭ１１０を示す概念図である。
【００３６】
ＣＤ−ＲＯＭ１１０に記憶された面付けプログラム２００は、用紙画像生成部２０１、出力処理部２０２、および処理中断部２０３とで構成されている。ここで、用紙画像生成部２０１は本発明の面付けプログラムにおける用紙画像生成部の一例に相当し、同様に、出力処理部２０２は本発明の面付けプログラムにおける出力処理部の一例に相当し、処理中断部２０３は本発明の面付けプログラムにおける処理中断部の一例に相当する。面付けプログラム２００の各部の詳細については、図６に示す本発明の面付け装置の一実施形態である面付け装置７０の各部の作用と一緒に説明する。
【００３７】
図６は、この面付けプログラム２００を図２のパーソナルコンピュータ２０にインストールし、パーソナルコンピュータ２０を本発明の面付け装置の一実施形態として動作させるときの面付け装置７０の機能ブロック図である。
【００３８】
図２にも示す面付け装置７０は、用紙画像生成部７１、出力処理部７２、処理中断部７３、およびレイアウト生成部７４を備えている。図５に示す面付けプログラム２００を図２〜図４に示すパーソナルコンピュータ２０にインストールすると、面付けプログラム２００の用紙画像生成部２０１は図６の用紙画像生成部７１を構成し、同様に、出力処理部２０２は出力処理部７２を構成し、処理中断部２０３は処理中断部７３を構成する。
【００３９】
オペレータが図３のキーボード２３およびマウス２４を使って、用紙の大きさを示す用紙サイズ、ページの大きさを示すページサイズ、裁ち落とし代の幅を示すブリード幅、裁ち落とし代よりも大きい仮想ページ代の幅を示す仮想ページ幅、および用紙上に配置されるページ数やページが配置される位置を示す配置テンプレートを指定すると、それらの値はレイアウト生成部７４に送られる。レイアウト生成部７４は、指定された用紙サイズの用紙上に指定されたページサイズのページ枠が指定された配置テンプレートに従って面付けられ、そのページ枠を指定されたブリード幅で取り囲むブリード枠と、ページ枠を指定された仮想ページ幅で取り囲む仮想ページ枠とが設定されたレイアウトを作成する。作成されたレイアウトは、用紙画像生成部７１に送られる。
【００４０】
用紙画像生成部７１は、レイアウト生成部７４からレイアウトを取得する。また、図２に示すページ生成装置６０からページを取得して、取得したページをレイアウト上のページ枠上に配置したときの、用紙全体を表す用紙画像を生成する。この用紙画像生成部７１は、本発明の面付け装置における用紙画像生成部の一例に相当する。生成された用紙画像は、出力処理部７２に送られ、取得されたレイアウトは、処理中断部７３に送られる。
【００４１】
出力処理部７２は、用紙画像生成部７１から用紙画像が送られてくると、その用紙画像を図２の画像展開装置８０に送って、画像展開装置８０に用紙画像を表す用紙画像データの形式をページ記述データからビットマップデータに変換させ、そのビットマップデータが表す網点の用紙画像をカラープリンタ３０で用紙上に出力させる。また、用紙画像は、出力処理部７２から図２の記憶装置９０にも送られて、記憶装置９０に記憶される。この出力処理部７２は、本発明の面付け装置における出力処理部の一例にあたる。
【００４２】
処理中断部７３は、用紙画像生成部７１からレイアウトを取得し、図２に示すページ生成装置６０からページを取得する。さらに、処理中断部７３は、取得したページの大きさが、レイアウト上に設定された仮想ページ枠の大きさよりも大きい場合に、用紙画像を生成する処理を中断させる中断指示を用紙画像生成部７１に送る。この処理中断部７３は、本発明の面付け装置における処理中断部の一例に相当する。
【００４３】
面付け装置７０は、基本的には以上のように構成されている。
【００４４】
図７は、ページをレイアウト上に配置して用紙画像を生成し、その用紙画像を用紙上に出力するときの一連の処理を示すフローチャートである。以下では、このフローチャートを使って、図２のページ生成装置６０から送られてきたページを、面付け装置７０を用いて用紙上に配置し、用紙画像を図２のカラープリンタ３０で出力する一連の処理について説明する。
【００４５】
まず、オペレータが予め用意されているアイコン（図示しない）を図３のマウス２４を使ってクリックすると、図３の表示画面２２ａに、予め用意されている設定画面が表示される。
【００４６】
図８は、表示画面２２ａに表示された設定画面３００を示す図である。設定画面３００には、用紙サイズを設定するための用紙サイズ設定部３１０、ページに関する諸設定値を設定するためのページ設定部３２０、および用紙上に配置するページ数やページの配置位置を定める配置テンプレートを設定するための配置テンプレート設定部３３０とが備えられており、ページサイズ設定部３２０は、ページサイズを設定するためのページサイズ設定部３２１、裁ち落とし代の幅を設定するためのブリード幅設定部３２２、および裁ち落とし代よりも大きい仮想ページ代の幅を設定するための仮想ページ幅設定部３２３に分けられている。オペレータは、設定画面３００を使って、用紙サイズ、ページサイズ、ブリード幅、、仮想ページ幅、および配置テンプレートを指定する。
【００４７】
オペレータが指定した各値は、図６のレイアウト生成部７４に送られる。レイアウト生成部７４は、それらの値に合ったレイアウトを作成し、作成したレイアウトを用紙画像生成部７１に送る（図７のステップ（ａ））。
【００４８】
図９は、用紙画像生成部７１で取得されたレイアウトを示す図である。Ａ部分に示すレイアウト４００には、オペレータによって指定された用紙サイズの用紙枠４１０が設定されており、その用紙枠４１０内は、この例では４つのページ領域４１１に分けられている。Ｂ部分には、Ａ部分に示す４つのページ領域４１１のうちの１つのページ領域４１１が示されている。ページ領域４１１には、オペレータによって指定されたページサイズのページ枠４２０、指定されたブリード幅４３１でページ枠４２０を包含するブリード枠４３０、指定された仮想ページ幅４４１でページ枠４２０を包含する仮想ページ枠４４０が設定されている。このページ枠４２０は本発明にいうページ枠の一例であり、同様に、ブリード枠４３０とページ枠４２０との間の裁ち落とし代は本発明にいう裁ち落とし代の一例、仮想ページ枠４４０は本発明にいう仮想ページ枠の一例にあたり、レイアウト４００は本発明にいうレイアウトの一例に相当する。
【００４９】
用紙画像生成部７１は、取得したレイアウトを処理中断部７３に送る。また、用紙画像生成部７１および処理中断部７３は、図２のページ生成装置６０からページを取得する（図７のステップ（ｂ））。
【００５０】
図１０のＡ部分は、用紙画像生成部７１および処理中断部７３が取得したページ５００を示す図であり、Ｂ部分は、ページ５００を図９に示すレイアウト４００上のページ領域４１１に配置したときのページ領域４１１を示す図である。この例では、ページ５００は、ページ領域４１１のページ枠４２０およびブリード枠４３０からはみ出しているが、仮想ページ枠４４０からははみ出していない。従って、図７のフローチャートにおいて、ステップ（ｃ）からステップ（ｄ）に進む。
【００５１】
ここで、用紙画像生成部７１は、図２のページ生成装置６０から送られてきたページ５００を、図９のレイアウト４００上のページ領域４１１に、図１０のＢ部分に示すような配置で配置する（図７のステップ（ｄ））。
【００５２】
図７のステップ（ｃ）およびステップ（ｄ）の処理が、図２のページ生成装置６０から用紙画像生成部７１に送られてきたページ全てについて行われる。図７のステップ（ｅ）において、全てのページの配置が終了すると、ステップ（ｆ）に進む。
【００５３】
用紙画像生成部７１は、ページが配置されたレイアウト上に、用紙を断裁する際の目印であるトンボを設定する（図７のステップ（ｆ））。
【００５４】
さらに、用紙画像生成部７１は、ページが配置されたレイアウト上の用紙枠内全体を表す用紙画像を生成する（図７のステップ（ｇ））。
【００５５】
図１１は、用紙画像生成部７１で生成された用紙画像を示す図である。用紙画像４５０には、ページ５００のような４つのページが配置されており、トンボ４５１が備えられている。左上および右下のページは、トンボ４５１が囲む領域よりも大きいが、領域からはみ出す画像部分は断裁時に切り取られる。用紙画像生成部７１は、用紙画像４５０を出力処理部７２に送る。
【００５６】
出力処理部７２は、用紙画像生成部７１から送られてきた用紙画像を図２の画像展開装置８０および記憶装置９０に送る。
【００５７】
図２の記憶装置９０は、出力処理部７２から送られてきた用紙画像を記憶する。また、図２の画像展開装置８０は、出力処理部７２から用紙画像を取得して、その用紙画像を表す画像データの形式をページ記述データからビットマップデータに展開する。展開された画像データが表す網点の用紙画像は、図２のカラープリンタ３０に送られて、カラープリンタ３０で用紙上に出力される（図７のステップ（ｈ））。
【００５８】
以上のような手順で用紙画像が用紙上に出力されるが、ここで、図７のステップ（ｂ）において、レイアウト上の仮想ページ枠よりも大きいページサイズのページが用紙画像生成部７１に送られてきた場合について説明する。
【００５９】
図１２のＡ部分は、用紙画像生成部７１および処理中断部７３が取得したページ６００を示す図であり、Ｂ部分は、ページ６００を図９に示すレイアウト４００上のページ領域４１１に配置したときのページ領域４１１を示す図である。この例では、ページ６００は、ページ領域４１１のページ枠４２０、ブリード枠４３０、および仮想ページ枠４４０からはみ出しており、明らかに大きすぎるサイズのページである。従って、処理中断部７３は、ページ６００が、レイアウト４００上の仮想ページ枠４４０よりも大きいことを判定し（図７のステップ（ｃ））、用紙画像を生成する処理を中断する中断指示を用紙画像生成部７１に送る。
【００６０】
用紙画像生成部７１は、処理中断部７３から中断指示が送られてくると、処理を中断し、用紙画像を生成しない。図７のフローチャートにおいて、ステップ（ｄ）からステップ（ｈ）までの処理は省かれて、用紙画像を生成する一連の処理が中断される。
【００６１】
このように、明らかに間違った大きなサイズのページが取得されたときには、用紙画像を生成する処理を中断することによって、印刷ミスを軽減させることができる。
【００６２】
ここで、上記では、画像出力機の一例としてカラープリンタを適用する例について説明したが、このカラープリンタは、電子写真方式のカラープリンタであってもよく、インクジェット方式のカラープリンタであってもよく、変調されたレーザ光で印画紙を露光してその印画紙を現像する方式のプリンタであってもよく、そのプリント方式の如何を問うものではない。また、画像出力機としては、カラープリンタに限定されるものではなく、印刷機であってもよい。
【００６３】
また、用紙画像生成部で用紙画像を生成する処理を中断させる処理中断部を備えた面付け装置について説明したが、本発明にいう処理中断部は、例えば、用紙画像生成部で生成した用紙画像を出力処理部に出力する処理を中断させるものであってもよく、あるいは、出力処理部が画像出力機に用紙画像を出力させる処理を中断させるものであってもよい。
【００６４】
また、上記では、ページ枠が用紙上に４つ面付けられたレイアウトを使って説明したが、本発明の面付け装置が用いるレイアウトは、用紙上に少なくとも１つのページ枠が面付けられたものであればページ枠は４つに限らない。
【００６５】
また、上記では、オペレータが用紙サイズやページサイズなどを指示して、それらの値に合ったレイアウトを適用する面付け装置について説明したが、本発明の面付け装置は、予め定められたレイアウトを適用するものであってもよい。
【００６６】
【発明の効果】
以上説明したように、本発明によれば、印刷ミスを抑えることができる。
【図面の簡単な説明】
【図１】オペレータによって編集されたページを面付けレイアウトに配置して印刷し、製本する一連の処理を示す図である。
【図２】本発明の一実施形態が適用された画像処理システムの全体構成図である。
【図３】パーソナルコンピュータの外観図である。
【図４】パーソナルコンピュータのハードウェア構成図である。
【図５】本発明の面付けプログラムの一実施形態が記憶されたＣＤ−ＲＯＭを示す概念図である。
【図６】面付け装置の機能ブロック図である。
【図７】ページをレイアウト上に配置して用紙画像を生成し、その用紙画像を用紙上に出力するときの一連の処理を示すフローチャートである。
【図８】表示画面に表示された設定画面を示す図である。
【図９】用紙画像生成部で取得されたレイアウトを示す図である。
【図１０】用紙画像生成部および処理中断部が取得したページ、およびページを図９に示すレイアウト上に配置したときのページ領域を示す図である。
【図１１】用紙画像生成部で生成された用紙画像を示す図である。
【図１２】用紙画像生成部および処理中断部が取得したページ、およびページを図９に示すレイアウト上に配置したときのページ領域を示す図である。
【符号の説明】
１    ページ
２    レイアウト
３    ページ枠
４    ブリード枠
５    ブリード
６    画像部分
７    ページ
８    画像部分
１０    カラースキャナ
１１    原稿画像
２０    パーソナルコンピュータ
２１    本体装置
２１ａ    ＦＤ装填口
２１ｂ    ＣＤ−ＲＯＭ装填口
２２    画像表示装置
２２ａ    表示画面
２３    キーボード
２４    マウス
２５    バス
３０    カラープリンタ
３１    用紙画像
５０    用紙画像出力システム
６０    ページ生成装置
７０    面付け装置
７１    用紙画像生成部
７２    出力処理部
７３    処理中断部
７４    レイアウト生成部
８０    画像展開装置
９０    記憶装置
１００    ＦＤ
１１０    ＣＤ−ＲＯＭ
２００    面付けプログラム
２０１    用紙画像生成部
２０２    出力処理部
２０３    処理中断部
２１１    ＣＰＵ
２１２    主メモリ
２１３    ハードディスク
２１４    ＦＤドライブ
２１５    ＣＤ−ＲＯＭドライブ
２１６    入力インタフェース
２１７    出力インタフェース
３００    設定画面
３１０    用紙サイズ設定部
３２０    ページ設定部
３２１    ページサイズ設定部
３２２    ブリード幅設定部
３２３    仮想ページ幅設定部
３３０    配置テンプレート設定部
４００    レイアウト
４１０    用紙枠
４１１    ページ領域
４２０    ページ枠
４３０    ブリード枠
４３１    ブリード幅
４４０    仮想ページ枠
４４１    仮想ページ幅
４５０    用紙画像
４５１    トンボ
５００    ページ
６００    ページ
【図１】
2004180130.tif 000003
【図２】
2004180130.tif 000004
【図３】
2004180130.tif 000005
【図４】
2004180130.tif 000006
【図５】
2004180130.tif 000007
【図６】
2004180130.tif 000008
【図７】
2004180130.tif 000009
【図８】
2004180130.tif 000010
【図９】
2004180130.tif 000011
【図１０】
2004180130.tif 000012
【図１１】
2004180130.tif 000013
【図１２】
2004180130.tif 000014